Podtech/llm-jp-corpus-v4-ja_patent huggingface dataset:
(57)【要約】    【課題】  高齢者や歩行障害を有する者は登坂や昇り階段、エスカレ−タ−等を昇る際に、爪先が十分に引き上げられないことが原因で爪先が地面や階段等に接触して、躓き、転倒することがある。又、健常者であっても疲労時は足が重く、思うように上に上げることができなくなる。そこで、通常の歩行は勿論、登り坂や昇り階段であっても爪先が垂れ下がらず、引き上げた状態を保持して、楽に歩行することができ、確実に転倒を防止する靴下等を提供することを目的とする。    【解決手段】  靴下の爪先部から足首部の裏面に縫着した弾性体で、靴下の爪先部と足首部を弾性体で連結して爪先を常に上方に引き上げるように付勢するのである。    【選択図】  図３
2006141747.tif 000002
【特許請求の範囲】
【請求項１】
足首ベルトから爪先部にかけて弾性素材から成るベルトを延着して成る爪先引上げ部材を有する靴。
【発明の詳細な説明】
【技術分野】
【０００１】
本発明は歩行時の転倒を防止する靴に関する。特に、高齢者、障害者又は病人等の正常な歩行が困難な者を歩行時の転倒から守るものである。
【背景技術】
【０００２】
従来の靴は靴底の大部分が地面に接地するように靴底は、ほぼ水平に作られている。ところが、高齢者等は足の筋力が弱っているため爪先を充分上げることができず、登り坂や昇り階段は勿論、水平な地面上を歩行している時でも、爪先が引っかかり、躓いて転倒することがある。
【０００３】
そこで、靴底の全体又は部分的に収縮率の異なるゴム等を使用して靴底先端（爪先部）を上向きに形成した靴がある。
【特許文献１】特開平１１−２２１１０３号公報
【発明の開示】
【発明が解決しようとする課題】
【０００４】
特開平１１−２２１１０３号公報記載の高齢者用安全靴は水平な地面や緩やかな登坂には対応可能と思われるが、筋力が弱った高齢者等は、足の甲全体が垂れ下がり、爪先を充分上げることができず、靴全体が下を向いてしまう。従って、登り坂や昇り階段は充分に爪先を上げることができず、結局、躓き、転倒してしまう。この時の状態を図面を参照しながら以下、詳細に述べる。
【０００５】
図１が特開平１１−２２１１０３号公報記載の高齢者用安全靴の着地時（ａ）及び挙上時（ｂ）の図である。
【０００６】
靴１の靴底２は前後方向において接地面より足裏面の方にかけて段階的に収縮率を大きくしたものによって形成されている。着地時は足裏全体に体重が係っているため靴底２はしっかりと地面３に接地している。
【０００７】
足４を挙上すると（ｂ）爪先５が反り上がって地面３との接触を防止し、躓き、転倒を防止するものである。平らな道路を歩行中は当該靴１で充分対応可能と思われる。しかし、例えば昇り階段等では足首付近の筋力が弱っていると足首で足の甲全体を水平に維持、或は爪先５を上に向けて保持できず、爪先５が図２に示すように垂れ下がり、それに伴い、靴１全体が下向きになり、爪先５が多少反り上がっていても十分な高さにまで上げることができず、結局爪先５が階段６に接触し、躓いてしまう。
【０００８】
すなわち、登り坂や昇り階段では爪先だけでなく靴全体を歩行に併せて持ち上げる必要があるのである。
【０００９】
そこで、本発明では通常の歩行は勿論、登り坂や昇り階段、エスカレ−タ−であっても爪先が垂れ下がらず、引き上げた状態を保持して、楽に歩行や運動をすることができ、確実に転倒を防止する靴を提供することを目的とする。
【課題を解決するための手段】
【００１０】
請求項１記載の発明に係る靴は、靴の踵上部に靴と一体的に形成した足首ベルトと靴の爪先部を弾性体で連結したことを特徴とするのである。
【発明の効果】
【００１１】
足首ベルトと爪先部が弾性体で連結されているため、足首で足全体を楽に支えることができ、足全体、すなわち靴全体が上に引き上げられた状態にある。従って、この靴を着用していると、水平な地面を歩行するときは勿論、登り坂や昇り階段、エスカレ−タ−においても爪先を充分に引き上げることができ、地面や階段との接触を防ぎ、確実に躓き及び転倒を防止し、また、長時間のウォ−キングやスポ−ツにおいて足が疲れても爪先を充分に引き上げる効果を奏するのである。
【００１２】
高齢者や怪我人等、歩行に障害がある者に対しては顕著な効果を奏するが、通常人においても長時間の歩行時等に効果を奏する。すなわち、疲労した時は誰でも足が重くなり、充分に持ち上げることができない。そこで支障なく通常歩行ができる人であってもこの靴を着用することで疲労時でも楽に爪先を引上げて歩行することができるのである。
【００１３】
僅か数ミリから数センチ、靴の爪先の引上げが足らないために、階段等で躓くことがある。靴の足甲部から爪先にかけてゴム紐を配するという簡易な方法で爪先を少し引き上げるだけで躓き、転倒を防止できるという大きな効果を奏することができる。そして足や腰部の骨折を防いで重大な事故や怪我、寝たきり等の深刻な状態を未然に防ぐことができれば簡便な部材を利用して絶大な効果を奏することができると言える。
【発明を実施するための最良の形態】
【００１４】
図１は請求項１記載の靴７の斜視図である。
【００１５】
靴７は足首ベルト８と爪先引上げベルト９から構成される。
【００１６】
足首ベルト８はゴム紐等の弾性素材を輪状に形成しても良いし、両端に面状ファスナ−（図示せず）を取り付け、着脱自在に形成しても良い。足首ベルト８は靴の踵部１１の上部に保持ベルト１２で保持され、靴本体７の両側面とも保持ベルト１３−１３で連結、保持されている。
【００１７】
足首ベルト８の足甲側８ａから爪先に向けて爪先引上げベルト９を延着する。爪先引上げベルト９は途中足甲ベルト１４にも縫着される。足甲ベルト１４は着用時に爪先引上げベルト９でズボンの裾が浮き上がるのを防止するためにある。  ゴム紐等の弾性素材からなる爪先引上げベルト９は先端９ａを取り付ける靴の爪先部分１０を足首側に常に引き上げた状態を作り出す。
【００１８】
また、足首ベルトから靴の爪先部に向けて弾性体を延着する構成であれば、どのような形態の靴にも利用可能である。
【産業上の利用可能性】
【００１９】
本発明は歩行時に足の引上げをスム−ズに行い、転倒を防止する靴に関する。特に、高齢者、障害者または病人等、正常な歩行が困難な者を転倒から守るものであるが、健常者であっても長時間歩行による疲労時やスポ−ツやウォ−キング時に使用すると楽に足の引上げが可能である。
【００２０】
また、足首ベルトから靴の爪先部に向けて弾性体を延着する構成を有すれば、どのような形態の靴にも利用可能である。
【図面の簡単な説明】
【００２１】
【図１】ａ  従来の靴を着用した状態を示す説明図。
【００２２】
ｂ  同、足を挙上した状態を示す説明図。
【図２】従来の靴を着用して階段を登っている状態を示す説明図。
【図３】請求項１記載の靴の斜視図。
【符号の説明】
【００２３】
８、足首ベルト    ９、爪先引上げベルト（弾性体）    １４、足甲ベルト    １２、１３、保持ベルト
【図１】
2006141747.tif 000003
【図２】
2006141747.tif 000004
【図３】
2006141747.tif 000005
(57)【要約】【課題】従来の走り高跳び、棒高跳び用具はバーよりどのくらい高い位置を通過したか知ることができなかった。またバー上を通過開始した時から通過終了までの競技者の実際の高さの変化を知ることができなかった。【解決手段】２本の支柱の一方に複数の発光素子を直線状に配置した発光器を垂直に取り付け、他方の支柱に複数の受光素子を直線状に配置した受光器を垂直に取り付け、該発光器と受光器を対向させ、２本の支柱間、つまり該発光器と受光器の間を競技者が通過するにあたり、発光器からの光を競技者が遮り受光器に到達しないことにより競技者の通過位置を検出し高さを測定するようにした。これにより競技者がバーよりどのくらい高い位置を通過したか、あるいは実際に跳んだ高さを知ることが出来る。また通過開始から通過終了までの高さの時間的変化を知ることが出来る。【選択図】    図２
2006141770.tif 000002
【特許請求の範囲】
【請求項１】
２本の支柱の一方に複数の発光素子を直線状に配置した発光器を垂直に取り付け、他方の支柱に複数の受光素子を直線状に配置した受光器を垂直に取り付け、該発光器と受光器を対向させたことを特徴とする高跳び用高さ測定装置
【請求項２】
受光素子は対向する一つの発光素子の信号を受信することを特徴とする請求項１記載の高跳び用高さ測定装置
【請求項３】
複数の発光素子を配置した発光器と複数の受光素子を受光器はそれぞれ支柱に取りつけられたバー支持台と連動することを特徴とする請求項１記載の高跳び用高さ測定装置
【発明の詳細な説明】
【技術分野】
【０００１】
本発明は陸上競技において、バーなどを跳び越す高さを測定する装置に関する。
【背景技術】
【０００２】
従来走り高跳び、棒高跳びにおいて跳び越した高さは支柱に載置されたバーをクリアした場合のバーの高さによって決定されていた。
【発明の開示】
【発明が解決しようとする課題】
【０００３】
上記のように従来走り高跳び、棒高跳びにおいてはクリアした高さはバーの高さでありバーよりどのくらい高い位置を通過したか知ることができなかった。またバー上を通過開始した時から通過終了までの競技者の実際の高さの変化を知ることができなかった。例えば頭部、胴部、脚部と通過したときにどのあたりがバーまでの余裕がなかったか知ることができなかった。
【０００４】
本発明はこのような従来の構成の課題を解決しようとするものであり、走り高跳び、棒高跳びにおいて競技者が実際にクリアした高さ及び高さの時間的変化を測定する装置を提供することを目的としている。
【課題を解決するための手段】
【０００５】
本発明は上記目的を達成するために２本の支柱の一方に複数の発光素子を直線状に配置した発光器を垂直に取り付け、他方の支柱に複数の受光素子を直線状に配置した受光器を垂直に取り付け、該発光器と受光器を対向させ、２本の支柱間、つまり該発光器と受光器の間を競技者が通過するにあたり、発光器からの光を競技者が遮り受光器に到達しないことにより競技者の通過位置を検出し高さを測定するようにした。
【発明の効果】
【０００６】
上述したように本発明によれば、走り高跳び、棒高跳びにおいて競技者がバーよりどのくらい高い位置を通過したか知ることが出来る。また通過開始から通過終了までの高さの時間的変化を知ることが出来る。これらの情報は観客やＴＶなどの視聴者に提供され競技への興味を増すことができる。
【発明を実施するための最良の形態】
【０００７】
以下図面に基づいて本発明の実施の形態を説明する。図１は本発明の一つの実施例のブロック図である。１は発光器であり発光素子１１〜１４が直線状に一定の間隔で取り付けられている。２は受け器であり受光素子２１〜２４が直線状に一定の間隔で取り付けられている。３は制御装置であり、発光器１の発光素子１１〜１４の発光を制御する。例えば発光素子１１〜１４を異なる信号で変調する、あるいは異なるタイミングで発光させるなどである。また制御装置３は受光器２を制御し受光素子２１〜２４の信号を受信する。例えば受光素子２１は発光素子１１のみの信号を受信し、同様に受光素子２２〜２４は発光素子１２〜１４の信号をそれぞれ受信するようになっている。また制御装置３は受光素子２１〜２４の信号から競技者の通過位置を検出し、高さ情報に変換して出力する。４は表示装置で制御装置３から出力される高さ情報を表示する。
【０００８】
図２は本発明の使用例を示す説明図である。５と６は支柱でありそれぞれ発光器１、受光器２が支柱に沿って取り付けられている。７はバーであり、８、９はバー７をのせるバー支持台である。発光器１及び受光器２はバー支持台８、９にそれぞれ載せられている。１０はバー７上を通過する競技者である。
【０００９】
競技者１０が発光器１と受光器２の間を通過すると発光器１から受光器２への光の一部あるいは全部が遮られる。制御装置３は受光素子２１〜２４の信号により競技者がどの位置を通過したか検出し、バー７からの高さ情報として出力する。予めバーの高さを制御装置３に入力しておくことにより地表からの高さ情報を出力することも出来る。表示器４は制御装置３から出力された情報により競技者がバーの上何センチを通過したかあるいは地表からの高さを表示する。
【００１０】
図３は競技者がバー上を通過する間の高さの変化を示す説明図である。制御装置３から出力される情報の時系列的変化を表している。ｔ０は競技者が発光器１と受光器２の間を通過し始めた時間、ｔ１〜ｔ４はｔ０から経過した時間、ｈ０はｔ０における競技者の高さである。ｈ１〜ｈ４は経過時間ｔ１〜ｔ４における競技者の高さを表している。競技者が頭部、胴部、脚部の順に通過したこの例では通過開始直後の高さつまり競技者の頭部が低いことがわかる。
【図面の簡単な説明】
【００１１】
【図１】本発明の実施形態を示すブロック図
【図２】本発明の使用例を示す説明図
【図３】競技者がバー上を通過する間の高さの変化を示す説明図
【符号の説明】
【００１２】
１            発光器
１１〜１４    発光素子
２            受光器
２１〜２４    受光素子
３            制御装置
４            表示装置
５、６        支柱
７            バー
８、９        バー支持台
１０          競技者
【図１】
2006141770.tif 000003
【図２】
2006141770.tif 000004
【図３】
2006141770.tif 000005
(57)【要約】【課題】  この発明は地震等の緊急時に電車の脱線を防止し、安全に停車させるための装置である。【解決手段】  車軸に巻いたコイルに通電することにより車輪を磁化し、レールに固着させて脱線を防止する。コイルの芯となる円筒は台車に固定するので、車軸とは接触しない。緊急時以外は従来通りの走行が可能である。【選択図】      図１
2006141190.tif 000002
【特許請求の範囲】
【請求項１】
電車の車輪を電磁石とし、レールに固着させる装置
【発明の詳細な説明】
【発明の詳細な説明】
【技術分野】
【００１】  電車の車軸にコイルを巻いた構造であって、緊急時にこれに通電することにより、瞬時に車輪を電磁石とする装置である。
【背景技術】
【００２】  従来は大規模地震の発生を感知した場合、送電を停止して電車を停車させる方法を運用しているようであるが、停車するまでにかなりの時間を要するため効果は疑問である。特に直下型の場合には無効であることが証明された。
【発明が解決しようとする課題】
【００３】  地震の振動によるほか、他の原因で車両に異常な力が働いた場合に電車の脱線を防止する。
【課題を解決するための手段】
【００４】  車輪を電磁石とすることでレールに固着させる。
【発明を実施するための最良の形態】
【００５】  この装置は送電を停止しないことを前提とし、各電車は中央よりの指令で自動的にモータを切り、コイルに通電するものである。
車輪が電磁石となってレールを吸着するため制動もかかる。電流量を自動コントロールすることで脱線を防止しつつ、安全に電車を停車させることが可能となる。
【発明の効果】
【００６】  大規模地震の際に電車の脱線を防止する。
また地震に限らず、車両のいずれかに異常な力が加わった場合の脱線防止にも有効である。センサーからの指令で装置が作動する仕組で運用すれば、被害を最小にすることが可能となる。
【図面の簡単な説明】
【図１】本装置を上部から見た図である。
【図１】
2006141190.tif 000003